(57)【要約】【課題】本考案は、手軽な操作で、清掃効率の向上を図る清掃具を提供する。【解決手段】柄軸の先端部にスポンジを取り付け、もう一方の端部に、柄軸を把持するための卵型握り柄を、回転可能に挿通し、そして、パイプ状握り柄の内部に備える螺旋溝と、柄軸のほぼ中央に備えたガイドピンが絡むようにパイプ状握り柄を、柄軸に回転可能に挿通する構成とした用具を提供する。【選択図】図１
0003161585.tif 000002
【実用新案登録請求の範囲】
【請求項１】
柄軸の先端部に清掃体を取り付け、もう一方の端部に柄軸を把持するための握り柄を、回転可能に挿通し、柄軸のほぼ中央部に取り付けたガイドピンを備えた柄軸に、螺旋溝を内在したパイプ状握り柄を、ガイドピンに絡まるように回転可能に挿通したことを特徴とする清掃用具。
【考案の詳細な説明】
【技術分野】
【０００１】本考案は、浴室・キッチンなどのコーナーの清掃に適した手動清掃具に関する。
【背景技術】
【０００２】従来より、手動による清掃具については案出されている。
例えば、登録実用新案公報・第３０２９０６８号の、手動式トイレ用回転ブラシがある。
これは柄部上部を握り、ブラシ下部先端を清掃面上に直方向に立て、下部方向に押し下げ即ゆるめると、内蔵された押しバネにより柄部はもとにもどり、この動作を繰り返すことにより、ブラシが左右交互に摺動回転運動を反復する構造であり、手軽な操作で、清掃効率の向上を図る清掃具が開示されている。
しかしながら、ブラシの清掃面に当たる圧力は、押バネの力によって同じような圧力がかかるため、圧力の加減を調節することにおいて難しいものであった。
また、柄部を下部方向に押し下げ、ゆるめた時のいずれの工程もブラシは回転するが、ゆるめる時は、板バネの力で押し戻される際の回転であり、清掃面上に圧力はかかっておらず、回転はするが清掃はできていない。
そしてまた、ブラシの先端部が鉛直に接面できない奥行きのある溝や、管の内側などの清掃個所においては、ブラシは回転せず清掃は難しいものであるため、手軽な操作で、洗浄清掃効率を向上することにおいて、改良の余地が存在していた。
【先行技術文献】
【特許文献】
【０００３】
【特許文献１】登録実用新案公報・第３０２９０６８号
【考案の概要】
【考案が解決しようとする課題】
【０００４】本考案は、上記従来技術の問題点に鑑みなされたものであり、回転するブラシを清掃面に対して、圧力の加減が行えること、そして、清掃面に圧力をかけながらブラシの回転数を増大させること、そして、奥行きのある溝や管の内側などの清掃にも対応できるようにすることを、手軽な操作で、清掃効率の向上を図る清掃具を提供することを課題とする。
【課題を解決するための手段】
【０００５】柄軸１の先端部に取り付けたスポンジ２の反対側の柄軸１に、柄軸１を把持するための卵型握り柄４を、回転可能に挿通し、そして、パイプ状握り柄３に内設した螺旋溝３ａに、柄軸１のほぼ中央に備えたガイドピン１ａが絡むように、パイプ状握り柄３を柄軸１に回転可能に挿通した用具において、スポンジ２を清掃面にあて、卵型握り柄４を把持しながら、もう片方の手でパイプ状握り柄３を把持して、前後運動させると、ガイドピン１ａは螺旋溝３ａに沿って動いて柄軸１とスポンジ２は、それぞれ左右に摺動回転することにより、清掃面の清掃が図られることを特徴とする。
【考案の効果】
【０００６】本考案によれば、清掃面に接面するスポンジの圧力を加減しながらスポンジを回転できること、そして、清掃面に圧力をかけつつスポンジの回転数を増大させること、そして、奥行きのある溝や管の内側などの清掃にも、対応できるようにすることが可能となる。
【図面の簡単な説明】
【０００７】
【図１】本考案の断面を示す平面図である。
【図２】本考案の断面を示す使用例の平面図である。
【図３】本考案の断面を示す使用例の斜視図である。
【考案を実施するための形態】
【０００８】本考案は、清掃において、手の届きにくい、或いは煩わしいなどで、とかく疎かになりがちな、コーナー・溝などの清掃個所について、手軽な操作で、清掃効率の向上を図るためのものである。
柄軸の先端部に取り付けたスポンジの反対側の柄軸に、柄軸を把持するための卵型握り柄を、回転可能に挿通し、そして、パイプ状握り柄に内設した螺旋溝に、柄軸のほぼ中央に備えたガイドピンが絡むように、パイプ状握り柄を回転可能に挿通した用具により構成される。
そして、スポンジを清掃面に鉛直にあてて、卵型握り柄を把持しながら、もう片方の手でパイプ状握り柄を把持して、前後運動させると、ガイドピンは螺旋溝に沿って動いて柄軸とスポンジは、それぞれ左右に摺動回転することにより、清掃面の清掃が図られることで手軽な操作で、清掃効率を向上するための用具を提供するものである。
以下、本考案の実施の形態について、図面を参照して実施例を説明する。
【実施例１】
【０００９】＜柄軸１の構成＞
柄軸１には、先端部に後述するスポンジ２と、ほぼ中央部に後述するガイドピン１ａと、止めリング１ｂを備える。
＜スポンジ２の構成＞
スポンジ２は、柄軸１の先端に取り付けてあり、スポンジの先端部２ａと、スポンジの側辺部２ｂで構成される。本実施例では、清掃体としてスポンジを示しているが、ブラシでも差支えない。
＜パイプ状握り柄３の構成＞
パイプ状握り柄３には、その内部に螺旋溝３ａを備えて、柄軸１のほぼ中央に備えたガイドピン１ａが絡むように、柄軸に回転可能に挿通する。
＜卵型握り柄４の構成＞
卵型握り柄４には、軸受４ａを備えている。卵型握り柄４は、スポンジ２の反対側の柄軸１に回転可能に挿通して、柄軸１の回転を円滑にするために、末端部をとがらせた柄軸１を軸受４ａで受けている。【００１０】組み立て時における各部材の関係は次のとおりである。
柄軸１の先端部に取り付けたスポンジ２の反対側の柄軸１に、柄軸１を把持するための卵型握り柄４を、回転可能に挿通し、そして、パイプ状握り柄３に内設した螺旋溝３ａに、柄軸１のほぼ中央に備えたガイドピン１ａが絡むように、パイプ状握り柄３を柄軸１に回転可能に挿通した用具により構成される。
そして、清掃面にスポンジ２を鉛直にあて、卵型握り柄４を把持しながら、もう片方の手でパイプ状握り柄３を把持して前後運動させると、ガイドピン１ａは螺旋溝３ａに沿って動き柄軸１とスポンジ２は、それぞれ左右に摺動回転することにより、清掃面の清掃が図られる。
この時、スポンジ２の清掃面に架かる圧力について、清掃面が木などの軟質性素材においては、スポンジ２をあてる力が強いと、清掃面が傷つく恐れがあり、また、清掃面の埃を払う程度の作業では、強い力を必要としない場合もあって、いずれの場合でも把持する卵型握り柄４を清掃面にあてる強さの加減を図ることにより、スポンジ２の清掃面に対する圧力の調節を行うことができる。
そして、スポンジ２の回転については、卵型握り柄４を把持しながら、パイプ状握り柄３を前方に押す時、そして戻す時においても、清掃面に対して圧力をかけながら、スポンジ２は回転することができて、いずれの時も清掃効率は保たれる。
管の内側などの清掃個所について、奥行きのある溝や、管の内側などの清掃面にスポンジの先端部２ａが、鉛直にあたらない個所については、スポンジの側辺部２ｂをあてスポンジ２を回転させることにより対応可能となる。
【符号の説明】
【００１１】１    柄軸
１ａ  ガイドピン
１ｂ  止めリング
２    スポンジ
２ａ  スポンジの先端部
２ｂ  スポンジの側辺部
３    パイプ状握り柄
３ａ  螺旋溝
４    卵型握り柄
４ａ  軸受
【図１】
0003161585.tif 000003
【図２】
0003161585.tif 000004
【図３】
0003161585.tif 000005